(57)【要約】【課題】  定置場所の選択の自由度を拡げることができるとともに、装飾性を備えることができるティッシュペーパー・ケースを実現する。【解決手段】  束ねられて積層体をなす多数のティッシュペーパー１００を収納するケース１を、上部が開口し底部が閉口した円筒状に形成する。ケース１の上部の開口を、ティッシュペーパー１００を取り出すための孔部が中央部に穿設された蓋体２により覆う。ケース１の側壁内および底壁内に、それぞれ外部の磁性体に磁力が作用し得る深さに板状の磁石５，６を埋設する。【選択図】        図１
0003136217.tif 000002
【実用新案登録請求の範囲】
【請求項１】
上部が開口し底部が閉口するとともに、側壁（３）内および底壁内にそれぞれ外部の磁性体に磁力が作用し得る深さに板状の磁石（５，６）が埋設された、束ねられて積層体をなす多数のティッシュペーパー（１００）を収納するための筒状のケース（１）と、
前記ティッシュペーパーを１枚ずつ取り出すための孔部が中央部に設けられた、前記ケースの前記上部の開口を覆うための脱着自在の蓋体（２）とを
具備したティッシュペーパー・ケース。
【請求項２】
上部が開口し底部が閉口するとともに、側壁（３）内および底壁内にそれぞれ外部の磁性体に磁力が作用し得る深さに板状の磁石（５，６）が埋設され、かつ、ティッシュペーパーを１枚ずつ取り出すためのスリット状の孔部（１５）が前記側壁に軸心方向に沿って設けられた、束ねられて積層体をなす多数の前記ティッシュペーパー（１００）を収納するための筒状のケース（１）と、
前記ケースの前記上部の開口を覆うための脱着自在の蓋体（２）とを
具備したティッシュペーパー・ケース。
【請求項３】
前記ティッシュペーパーを１枚ずつ取り出すための孔部が前記蓋体の中央部に設けられたものである請求項２記載のティッシュペーパー・ケース。
【請求項４】
ティッシュペーパー（１００）を１枚ずつ取り出すための孔部が上壁の中央部に設けられるとともに、底部が開口し、かつ、側壁内に外部の磁性体に磁力が作用し得る深さに板状の磁石（１３）が埋設された筒状の外部ケース（１０）と、
前記外部の磁性体に磁力が作用し得る深さに板状の磁石（１４）が埋設された、前記外部ケースの前記底部の開口を覆うための脱着自在の蓋体（１２）と、
前記外部ケースの内部に収容される、束ねられて積層体をなす多数のティッシュペーパーを収納するための上部が開口し底部が閉口した筒状の内部ケース（２０）と、
前記ティッシュペーパーを１枚ずつ取り出すための孔部が中央部に設けられた、前記内部ケースの前記上部の開口を覆うための脱着自在の蓋体（２１）とを
具備したティッシュペーパー・ケース。
【請求項５】
上部が閉口し底部が開口するとともに、側壁内に外部の磁性体に磁力が作用し得る深さに板状の磁石（１３）埋設され、かつ、ティッシュペーパー（１００）を１枚ずつ取り出すためのスリット状の孔部が側壁に軸心方向に沿って設けられた筒状の外部ケース（１０）と、
前記外部の磁性体に磁力が作用し得る深さに板状の磁石（１４）埋設された、前記外部ケースの前記底部の開口を覆うための脱着自在の第１の蓋体（１２）と、
前記外部ケースの内部に収容される、束ねられて積層体をなす多数の前記ティッシュペーパーを収納するための上部が開口し底部が閉口するとともに前記ティッシュペーパーを１枚ずつ取り出すためのスリット状の孔部が側壁に軸心方向に沿って設けられた筒状の内部ケース（２０）と、
前記内部ケースの前記上部の開口を覆うための脱着自在の第２の蓋体（２１）とを
具備したティッシュペーパー・ケース。
【請求項６】
前記ティッシュペーパーを１枚ずつ取り出すための孔部が、前記外部ケースの上壁の中央部および前記第２の蓋体の中央部にそれぞれ設けられたものである請求項５記載のテイッシュペーパー・ケース。
【考案の詳細な説明】
【技術分野】
【０００１】
本考案はティッシュペーパー・ケースに関する。具体的には、定置場所の選択の自由度を拡げることができ、さらには、装飾性を備えることができるティッシュペーパー・ケースを提供せんとするものである。
【背景技術】
【０００２】
従来より、１枚ずつ連続的に取り出すことができる多数のティッシュペーパーを収納したティッシュペーパー・ボックスが用いられている。このティッシュペーパー・ボックスは、厚紙を素材として横長の方形体状に形成され、その内部に、多数のティッシュペーパーを、上下に重合する折畳み端部どうしを相互に咬合させて積層することにより収納している。
【０００３】
このようなティッシュペーパー・ボックスは据置型であることから、例えば、自動車内に置かれる場合は、リヤ・シート背後のリヤ・パネルボード上、あるいは、リヤ・シート上に置かれることが多い
【０００４】
また、テイッシュペーパー・ボックスは、必要不可欠なものでありながら、装飾性に欠けるため、なるべく視界に入らない場所に置かれる傾向にある。その一方で、接客業のサービスを提供する場所や一般住宅における来客を応接する部屋などに、ティッシュペーパー・ボックスを置く場合は、インテリア性を持たせたり、周囲の内装と調和させるために、ティッシュペーパー・ボックスを、ティッシュペーパーを取り出すための開口部を有する、様々な色彩・模様が施された木製のケース内に収容したり、あるいは、布製のカバーで覆うことなどが行われている。
【考案の開示】
【考案が解決しようとする課題】
【０００５】
しかしながら、従来のティッシュペーパー・ボックスは、横長の方形体状に形成されていることから、その定置の態様は据置型である。したがって、占有面積が大きく、また、既述したように、ティッシュペーパー・ボックスを自動車内に置くような場合は、リヤ・シート背後のリヤ・パネルボード上かリヤ・シート上に置かねばならない。
【０００６】
しかし、リヤ・パネルボード上にティッシュペーパー・ボックスを置いている場合において、自動車の走行中にティッシュペーパーを使用する必要があるときは、同乗者がいなければ、自動車の走行を停止してからティッシュペーパー・ボックスからティッシュペーパーを取り出さなくてはならない。
【０００７】
また、リヤ・シート上にティッシュペーパー・ボックスを置いている場合は、これよりティッシュペーパーを取り出そうとすると、前方への注意を欠いたり、ハンドルの誤操作を生じかねず、自動車を運転するうえでの安全性を確保することができないことになる。
【０００８】
他方、ティッシュペーパー・ボックスにインテリア性を持たせたり、周囲の内装との調和を図るために、テイッシュペーパー・ボックスを木製のケースや布製のカバーを用いて覆う場合は、多少の装飾性を備えるものの、木製のケース等の形状は、ティッシュペーパー・ボックス自体の形状と殆ど同一であって、周囲のインテリアや装飾品との調和を図るうえでは、その装飾性は十分といえるものではなかった。
【課題を解決するための手段】
【０００９】
そこで、上記課題に照らし、本考案はなされたものである。そのために、本考案では、上部が開口し底部が閉口するとともに側壁内および底壁内にそれぞれ外部の磁性体に磁力が作用し得る深さに板状の磁石が埋設された筒状のケースと、このケースの上部開口を覆う、ティッシュペーパーを取り出す孔部が中央部に穿設された脱着自在の蓋体とにより、ティッシュペーパー・ケースを構成するようにした。
【００１０】
また、ティッシュペーパーを１枚ずつ取り出すための孔部が上壁中央部に設けられるとともに底部が開口し、かつ、側壁内に外部の磁性体に磁力が作用し得る深さに板状の磁石が埋設された筒状の外部ケースと、外部の磁性体に磁力が作用し得る深さに板状の磁石が埋設された、外部ケースの底部開口を覆う開閉自在の蓋体と、外部ケースの内部に収容される、束ねられて積層体をなす多数のティッシュペーパーを収納する上部が開口し底部が閉口した筒状の内部ケースと、内部ケースの上部開口を覆う、ティッシュペーパーを取り出す孔部が中央部に穿設された脱着自在の蓋体とにより、ティッシュペーパー・ケースを構成するようにもした。
【考案の効果】
【００１１】
本考案によるならば、ティッシュペーパー・ケースの形状を筒状に形成したので、占有面積が狭小で足りる省スペースであるうえに、定置場所の選択の自由度を拡げることができる。すなわち、水平面上はもちろんのこと、壁などの垂直面上あるいは傾斜面上、さらには、自動車内の天井などにも定置することが可能である。とりわけ、自動車内で運転者の近傍に定置すれば、リヤ・パネルボード上に定置した場合のように自動車の走行を停止する必要もなく、リヤ・シート上に定置した場合のように前方への注意を欠いたり、ハンドルを誤操作することもなく、自動車を運転するうえでの安全性の確保に寄与することになる。
【００１２】
また、筒状の形状と色彩・模様との組み合わせにより高い装飾性を備えることができる。すなわち、ティッシュペーパー・ケースとは気づかれることなく、インテリアや装飾品として定置しておくことが可能となる。したがって、とくに装飾性が重視されるホテルや旅館の宿泊室、商品・サービスを提供する店舗、あるいは一般住宅における応接室などに、本考案によるティッシュペーパー・ケースを置くならば、周囲のインテリアや装飾品と調和することになる。したがって、本考案によりもたらされる効果は、実用上極めて大きい。
【考案を実施するための最良の形態】
【００１３】
本考案によるティッシュペーパー・ケースは、上部が開口し底部が閉口した筒状のケースと、このケースの上部開口を覆う、ティッシュペーパーを取り出す孔部が中央部に穿設された脱着自在の蓋体と、ケースの側壁内および底壁内に、外部の磁性体に磁力が作用し得る深さにそれぞれ埋設された板状の磁石とにより構成される。以下、実施例により詳しく説明する。
【実施例１】
【００１４】
本考案の一実施例（実施例１）の構成を、図１に示し説明する。ここで、図１は、本実施例におけるティッシュペーパー・ケースの構成を示す、一部を切り欠いて断面表示した正面図である。
【００１５】
図１において、１は、束ねられて積層体をなすテイッシュペーパー１００を収納するための、素材に例えば耐熱性および耐久性を有する硬質のプラスチックが用いられたケースであり、上部が開口し底部が閉口した円筒状に形成されている。このケース１の上部開口は、ケース１と同一の素材からなる脱着自在の円皿状の蓋体２が嵌合することにより覆われており、蓋体２には、ケース１内に収納されたティッシュペーパー１００を１枚ずつ取り出すための円孔が穿設されている。
【００１６】
他方、ケース１の側壁３には、細長の方形状の平坦部４が形成されており、この平坦部４の直下には、１点鎖線で示すように、細長の板状の強い磁力を有する磁石５が、外部の鉄などの磁性体に対して磁力が作用し得る深さに埋設されている。また、ケース１の底壁内にも、１点鎖線で示すように、円板状の強い磁力を有する磁石６が、外部の磁性体に作用し得る深さに埋設されている。
【００１７】
つぎに、以上のように構成されたティッシュペーパー・ケースの使用方法について説明する。まず、ケース１の上部開口を覆っている蓋体２を開けて、ケース１の内部に、積層体に束ねられ、かつ、２つに縦折りにした多数のティッシュペーパー１００を収納する。ここにおけるティッシュペーパー１００は、市販の多数のティッシュペーパー１００を収納したティッシュペーパー・ボックス内から、図２（ａ）（斜視図）に示すように、積層されたままの状態で取り出したうえで、図２（ｂ）（斜視図）に示すように、２つに縦折りにして用いる（ケース１の内径が大きく、２つ折りにしなくてもよい場合は、図２（ａ）の状態のままで用いる。）。
【００１８】
ついで、束ねられたティッシュペーパー１００のうちの最も内側のティッシュペーパー１００の上端部を、ティッシュペーパー１００が部分的に露出するようにするためケース１の上部開口を覆う蓋体２中央部の円孔を挿通させたうえで、蓋体２をケース１の上端部に嵌合して取り付ける。
【００１９】
そこで、ケース１の側壁３内や底壁内にそれぞれ埋設した磁石５，６の磁力により、鉄などの磁性体からなる物体や部位に、このティッシュペーパー・ケースを定置する。その場合、必要に応じて、各磁石５，６を使い分けることにより、ティッシュペーパー・ケースを、上下いずれの向きに垂直に定置することも、左右いずれの向きに水平に定置することも、さらには任意の角度で傾斜して定置することも可能である。
【００２０】
このようにして一定の物体や部位に、ティッシュペーパー・ケースが定置された状態において、ティッシュペーパー１００を使用する必要が生じたときは、ケース１の上端より部分的に露出しているテイッシュペーパーを引き出して使用することになる。
【００２１】
本願考案者が行った実験によると、市販の多数のティッシュペーパー１００を収納したティッシュペーパー・ボックス内から、積層されたままの状態で取り出したティッシュペーパー１００を、２つ折りにし、または２つ折りにしない状態でケース１内に収納した場合、従来のティッシュペーパー・ボックスと同様に、１枚ずつ連続的にティッシュペーパー１００を取り出すことができるという結果を得ている。
【００２２】
以上が、本考案によるティッシュペーパー・ケースの使用方法であるが、ケース１内に収納されたティッシュペーパー１００のすべてを使い尽くした場合は、上述したところと同様にして、市販の多数のティッシュペーパーを収納したティッシュペーパー・ボックス内から、ティッシュペーパー１００を取り出してケース１内に収納するようにする。
【００２３】
以上においては、ケース１の形状として、円筒状に形成されたものを例に挙げて説明した。しかし、本考案は、これに限定されるものではない。その他にも、例えば四角筒状、六角筒状など、断面形状が多角形の場合であっても、本考案は適用され得るものである。
【００２４】
また、用いる磁石５，６として、形状が細長の方形状および円板状である場合について説明したが、本考案は、これらの形状に限られるものではない。
【００２５】
さらに、テイッシュペーパー１００を１枚ずつ取り出すための円孔を、ケース１の上端部に嵌合する蓋体２に設ける場合について説明した。しかし、この円孔に代えて、あるいは、この円孔に加えて、ケース１の側壁３の、例えば直下に磁石が埋設される平坦部４の、ケース１の軸心に関して対称の位置（180度回転した位置）に、図３に示すように、テイッシュペーパー１００を１枚ずつ取り出すためのスリット状の孔部１５を、ケース１の軸心方向に沿って設けるようにしてもよい。
【００２６】
この場合は、テイッシュペーパー１００を２つ折りにして使用するときは、最も外側のテイッシュペーパー１００を、スリット状の孔部を介して部分的に露出させておく。本願考案者が行った実験によれば、この場合においても、確実に１枚ずつ連続的にティッシュペーパー１００を取り出せることが確認されている。
【００２７】
なお、本考案によるティッシュペーパー・ケースを定置しようとする物体や部位が、磁石５，６の磁力が作用しない非磁性体からなる場合は、このティッシュペーパー・ケースの付属品として、肉厚が薄い鉄板を添付し、この鉄板を両面テープによりティッシュペーパー・ケースを定置しようとする物体や部位に貼付したうえで、この鉄板に磁石５，６の磁力が作用するようにすればよい。
【実施例２】
【００２８】
図４は、本考案の他の実施例（実施例２）の構成を示している。ここで、図４は、本実施例におけるテイッシュペーパー・ケースの構成を示す、一部を切り欠いて断面表示した正面図である。
【００２９】
図４において、１０は外部ケースであり、その素材に例えば耐熱性および耐久性を有する硬質のプラスチックが用いられて、ティッシュペーパー１００を１枚ずつ取り出すための円孔が上壁の中央部に穿設され底部が開口した円筒状に形成されている。そして、底部の開口は、断面略凸字状に形成された円板状の脱着自在の蓋体１２が螺合して覆われており、蓋体１２には、外部ケース１０と同一の素材が用いられている。ここにおける外部ケース１０および蓋体１２は、透明とするか、あるいは色彩または模様を施すことにより、装飾性を備えるようにする。
【００３０】
図４において、外部ケース１０の内部には、１点鎖線で示す不透明の硬質プラスチックからなる内部ケース２０が、嵌合するようにして収容されている。この内部ケース２０は、上部が開口し下部が尖塔状に形成された円筒状をなしており、この内部に、束ねられて積層体をなす多数のティッシュペーパー１００が収納される。なお、ここにおける内部ケース２０の下部形状を尖塔状としたのは、外部ケース１０を透明にした場合の装飾性を考慮したものであり、尖塔状ではなく平坦に形成してもよい。
【００３１】
また、内部ケース２０の上部開口は、内部ケース２０と同一の素材からなる脱着自在の円皿状の蓋体２１が嵌合することにより覆われており、蓋体２１の中央部には、内部ケース２０内に収納されたティッシュペーパー１００を１枚ずつ取り出すための円孔が穿設されている。外部ケース１０を透明とした場合は、この内部ケース２０に色彩や模様を施すことにより、装飾性を備えるようにすることができる。
【００３２】
他方、外部ケース１０の側壁には、細長の方形状の平坦部１１が形成されており、この平坦部１１の直下には、図５（斜視図）で１点鎖線で示すように、細長の板状の強い磁力を有する磁石１３が、外部の磁性体に対して磁力が作用し得る深さに埋設されている。また、外部ケース１０の底部開口を覆う蓋体１２にも、図５（斜視図）で１点鎖線で示すように、円板状の強い磁力を有する磁石１４が、外部の磁性体に作用し得る深さに埋設されている。
【００３３】
そこで、以上のように構成されたティッシュペーパー・ケースの使用方法について説明する。まず、外部ケース１０の底部開口を覆っている蓋体１２を取り外して、外部ケース１０内より内部ケース２０を取り出す。内部ケース２０が取り出されたならば、その上部開口を覆っている蓋体２１を取り外した後、内部ケース２０の中に、図６（斜視図）に示すように、積層体に束ねられ、かつ、２つに縦折りにした多数のティッシュペーパー１００を収納する。ここに用いるティッシュペーパー１００については、２つ折りにしなくてもよい場合があることを含めて、実施例１について説明したところと同じである。
【００３４】
ついで、束ねられたティッシュペーパー１００のうちの最も内側のティッシュペーパー１００の上端部を、ティッシュペーパー１００が部分的に露出するようにするため内部ケース２０の蓋体２１中央部の円孔を挿通させたうえで、蓋体２１を内部ケース２０の上端部に取り付ける。内部ケース２０の蓋体２１が取り付けられたならば、内部ケース２０を外部ケース１０内に収容する。そして、内部ケース２０より部分的に露出しているティッシュペーパー１００を、外部ケース１０の上壁中央部の円孔を挿通させた後、外部ケース１０の底部開口を蓋体１２により覆う。
【００３５】
以上により、テイッシュペーパー・ケースの使用が準備されたことになり、外部ケース１０の側壁内や底壁内にそれぞれ埋設した磁石１３，１４の磁力により、任意の場所、任意の方向に、このティッシュペーパー・ケースを定置する。
【００３６】
定置された後のテイッシュペーパー１００の取り出し方、およびテイッシュペーパー１００のすべてを使い尽くした場合のテイッシュペーパー１００の補充の仕方は、実施例１について説明したところと同じである。
【００３７】
また、外部ケース１０および内部ケース２０の形状が円筒状のものに限定されるものではないこと、用いる磁石１３，１４の形状が細長の方形状および円板状のものに限られないこと、外部ケース１０および内部ケース２０の各側壁にテイッシュペーパー１００を１枚ずつ取り出すためのスリット状の孔部を設けてもよいこと、およびティッシュペーパー・ケースを定置しようとする物体や部位が非磁性体からなる場合の対処の仕方は、実施例１について説明したところと同じである。
【図面の簡単な説明】
【００３８】
【図１】本考案の実施例１の構成を示す、一部を切り欠いて断面表示した正面図である。
【図２】図１に示したケースの内部に収納するティッシュペーパーの形態を説明するための説明図である。
【図３】図１に示したケースに設けるスリット状の孔部の構成を示す構成図である。
【図４】本考案の実施例２の構成を示す、一部を切り欠いて断面表示した正面図である。
【図５】図４に示した外部ケースへの磁石の配設位置を示す斜視図である。
【図６】図４に示した内部ケースへのティッシュペーパーの収納の様子を説明するための説明図である。
【符号の説明】
【００３９】
１  ケース
２  蓋体
３  側壁
４  平坦部
５，６  磁石
１０  内部ケース
１１  平坦部
１２  蓋体
１３，１４  磁石
１５  孔部
２０  外部ケース
２１  蓋体
１００  ティッシュペーパー
【図１】
0003136217.tif 000003
【図２】
0003136217.tif 000004
【図３】
0003136217.tif 000005
【図４】
0003136217.tif 000006
【図５】
0003136217.tif 000007
【図６】
0003136217.tif 000008